(57)【要約】  本発明は、構成可能電気コネクタ（１１００）、ロック（１２００）及び構成された電気コネクタ（１３００）に関する。より具体的には、本発明は、少なくとも一つのロック（１２００）によって二つ以上の位置で取付けターゲットへ取り付けられるように構成されることができる電気コネクタ（１３００）に関する。【選択図】図１Ｃ
2014512645.tif 000002
【特許請求の範囲】
【請求項１】
構成可能電気コネクタであって、
少なくとも二つの位置で少なくとも一つのロック（１２００，３２００）を係合するための少なくとも一つの係合手段（１１１０，３１１０）を含み、前記少なくとも一つのロックが当該コネクタを取付けターゲットへ取り付けるためであることを特徴とする構成可能電気コネクタ。
【請求項２】
前記少なくとも一つの係合手段は、前記ロックの前記構成可能電気コネクタとの係合を許容する／前記ロックの前記構成可能電気コネクタからの係合解除を防止するように構成されることを特徴とする請求項１に記載の構成可能電気コネクタ。
【請求項３】
前記少なくとも一つの係合手段は、少なくとも一つの空間（２１１５，３１１５）によって分離された複数の突起（２１１１乃至２１１４，３１１１，３１１２）を有し、前記突起の内の少なくとも一つは、前記ロックの前記構成可能電気コネクタとの係合を許容する／前記ロックの前記構成可能電気コネクタからの係合解除を防止するように構成されたロック手段を備えることを特徴とする請求項１又は２に記載の構成可能電気コネクタ。
【請求項４】
前記少なくとも一つの係合手段（１１１０）は、円形断面を有することを特徴とする請求項１乃至３のいずれか一項に記載の構成可能電気コネクタ。
【請求項５】
前記構成可能電気コネクタは、更に、少なくとも一つの回転ストップ（２１１６）を備え、
前記ロックは、少なくとも一つの窪み（２２０６乃至２２０８）を備え、それによって、前記少なくとも一つの回転ストップが前記少なくとも一つの窪みに挿入されると、前記ロックは、少なくとも一つの位置で前記構成可能電気コネクタと係合されることができることを特徴とする請求項４に記載の構成可能電気コネクタ。
【請求項６】
前記少なくとも一つの係合手段（３１１０）は、前記ロックが前記構成可能電気コネクタと係合されると、前記ロックが前記少なくとも一つの係合手段上で回転するのが防止されるような断面を有することを特徴とする請求項１乃至３のいずれか一項に記載の構成可能電気コネクタ。
【請求項７】
前記断面は、前記ロックが少なくとも二つの位置で前記構成可能電気コネクタに係合されることができるように構成されることを特徴とする請求項６に記載の構成可能電気コネクタ。
【請求項８】
前記構成可能電気コネクタを取付けターゲット上に取り付けるための、請求項１乃至７のいずれか一項に記載の構成可能電気コネクタのためのロックであって、前記ロックは、前記構成可能電気コネクタの前記少なくとも一つの係合手段の断面と実質的に同様な断面を有する孔（１２０２，３２０２）を備えることを特徴とするロック。
【請求項９】
更に、前記少なくとも一つのロックを前記取付けターゲットへ係合するための取付けピン（１２０３，３２０３）を備えることを特徴とする請求項８に記載のロック。
【請求項１０】
前記取付けピンは、前記ロックの前記取付けターゲットからの係合解除を防止するための少なくとも一つのロック手段（２２０９，３２０９）を備えることを特徴とする請求項９に記載のロック。
【請求項１１】
更に、前記ロックの前記取付けターゲットに向かう移動を停止するための少なくとも一つの停止手段（２２０４，２２０５，３２０４，３２０５）を備えることを特徴とする請求項８乃至１０のいずれか一項に記載のロック。
【請求項１２】
更に、前記ロックの前記取付けターゲットへの取付け方向を決定するための少なくとも一つのコーディング手段を備えることを特徴とする請求項８乃至１１のいずれか一項に記載のロック。
【請求項１３】
請求項１乃至７のいずれか一項に記載の構成可能電気コネクタと請求項８乃至１２のいずれか一項に記載の少なくとも一つのロックを含むことを特徴とする構成された電気コネクタ。
【発明の詳細な説明】
【技術分野】
【０００１】
本発明は、構成可能電気コネクタ、ロック、及び構成された電気コネクタに関する。より具体的には、本発明は、少なくとも一つのロックによって二つ以上の位置で取付けターゲットへ取り付けられるように構成されることができる電気コネクタに関する。
【背景技術】
【０００２】
少なくとも二つの形状を有する電気プラグインコネクタは、従来の技術で知られている。例えば、図７Ａに見られるように、電気コネクタ７３００は、主にＹ方向へ延出するＰＣＢロック７３０２を含む、主にＸとＹ方向へ延出する本体７３０１を有する。この構造の結果、電気コネクタ７３００は、ＰＣＢロック７３０２をＰＣＢ内の所定の孔へ係合することによって、ＰＣＢへ取り付けられることができる。このように、電気コネクタ７３００のリード７３０３とＰＣＢ上の夫々の接点との間での接触が確保される。
【０００３】
同様に、電気コネクタ７４００は、主にＸとＹ方向へ延出する本体７４０１を有する。ＰＣＢロック７４０２は、本体７４０１と一体的に成形され、且つ本体と９０°の角度を実現するように主に方向Ｙへ延出する。リード７４０３は、ＰＣＢロック７４０２がＰＣＢと係合すると、ＰＣＢ上の対応する接点との接続を実現するようにＰＣＢロックの同じ方向へ延出する。
【０００４】
従って、図７Ａの直線コネクタ７３００と図７Ｂに示されるような９０°曲げられたコネクタ７４００を実現する方法は公知である。
【発明の概要】
【発明が解決しようとする課題】
【０００５】
しかしながら、これら二つの異なるコネクタの実現は、それら二つのコネクタ７３００と７４００の形状が異なっているので、二つの異なる成形装置が必要である。これは、二つのコネクタの製造のためにコストが増加される不利益がある。理由は、機械類が二倍必要であり、その結果、製造プラント内で使用されるべき空間がより多くなり且つ追加の機械類のメンテナンスがより多くなり、全ての要因が積み重なって、製造コストの増加となる。
【課題を解決するための手段】
【０００６】
上述の問題は、本発明に従う構成可能電気コネクタによって解決され、そこでは、構成可能電気コネクタは、少なくとも二つの位置でそのコネクタを取付けターゲットへ取り付けるために、少なくとも一つのロックを係合するための少なくとも一つの係合手段を含む。
【０００７】
そのような構成の結果、少なくとも二つの位置で取り付けられるように、少なくとも二つの位置で少なくとも一つのロックと組み付けられることができる単一のタイプの構成可能電気コネクタを製造することが可能である。
【０００８】
幾つかの実施の形態では、前記少なくとも一つの係合手段は、構成可能電気コネクタとのロックの係合を許容する／構成可能電気コネクタからのロックの係合解除を防止するように構成されることができる。
【０００９】
このような構成の結果、ロックは、構成可能電気コネクタと容易に係合されることができ、偶発的な係合解除が防止される。
【００１０】
幾つかの実施の形態では、前記少なくとも一つの係合手段は、少なくとも一つの空間によって分離された複数の突起を含むことができ、そこでは、前記突起の少なくとも一つは、構成可能電気コネクタとのロックの係合を可能とする／構成可能電気コネクタからのロックの係合解除を防止するように構成されるロック手段を備えることができる。
【００１１】
このような構成の結果、ロックは、構成可能電気コネクタと容易に係合されることができ、且つ偶発的な係合解除が、係合手段の単純な構造で防止される。
【００１２】
幾つかの実施の形態で、前記少なくとも一つの係合手段は、円形断面を有することができる。
【００１３】
このような構成の結果、ロックは、係合手段の回りに回転されることができる。
【００１４】
幾つかの実施の形態では、構成可能電気コネクタは、更に、少なくとも一つの回転ストップを備えることができ、且つロックは、少なくとも一つの窪みを備えることができ、それによって、前記少なくとも一つの回転ストップが前記少なくとも一つの窪みに挿入されると、前記ロックが、少なくとも一つの位置で構成可能電気コネクタと係合されることができる。
【００１５】
このような構成の結果、係合手段の回りのロックの回転は、ロックの構成可能電気コネクタへの組み付け中に、ロックが少なくとも二つの安定的位置に組み付けられることができるように、制限される。
【００１６】
幾つかの実施の形態では、前記少なくとも一つの係合手段は、ロックが構成可能電気コネクタと一旦係合されると、ロックが、前記少なくとも一つの係合手段上を回転するのを防止されるような断面を有することができる。
【００１７】
このような構成の結果、係合手段回りのロックの移動は、回転ストップや窪みを使用することなく防止される。
【００１８】
幾つかの実施の形態では、その断面は、ロックが少なくとも二つの位置で構成可能電気コネクタ上に係合されることができるように構成されることができる。
【００１９】
このような構成の結果、係合手段回りのロックの移動は、ロックの構成可能電気コネクタへの組み付け中に、ロックが少なくとも二つの安定的位置に組み付けられることができるように、制限される。
【００２０】
本発明の実施の形態に従って、構成可能電気コネクタのためのロックは、この構成可能電気コネクタを取付けターゲットに取り付けるために、構成可能電気コネクタの少なくとも一つの係合手段の断面と実質的に同様な断面を有する孔を備えることができる。
【００２１】
このような構成の結果、ロックは、その係合手段を介して構成可能電気コネクタへ容易に取り付けられ且つ係合されることができる。
【００２２】
幾つかの実施の形態では、ロックは、更に、前記少なくとも一つのロックを前記取付けターゲットへ係合するための取付けピンを備えることができる。
【００２３】
そのような構成は、ロックと構成可能電気コネクタを取付けターゲットへ取り付けることを可能とする。
【００２４】
幾つかの実施の形態では、取付けピンは、ロックの取付けターゲットからの係合解除を防止するための少なくとも一つのロック手段を備えることができる。
【００２５】
このような構成の結果、ロック、従って、構成可能電気コネクタは、取付けピンを取付けターゲット内へスライドすることによって取付けターゲットと容易に係合されることができると共に、偶発的な係合解除が防止される。
【００２６】
幾つかの実施の形態では、ロックは、更に、ロックの取付けターゲットへの移動を停止するための少なくとも一つの停止手段を備えることができる。
【００２７】
このような構成の結果、ロックは、安定的に取付けターゲットに取り付けられることができる。
【００２８】
幾つかの実施の形態では、ロックは、更に、ロックの取付けターゲットへの取付け方向を決定するための少なくとも一つのコーディング手段を備えることができる。
【００２９】
このような構成の結果、誤った方向への構成された電気コネクタの取付けターゲットへの偶発的取付けが防止される。
【００３０】
本発明の実施の形態に従って、構成された電気コネクタは、本発明の先に述べた実施の形態に従う構成可能電気コネクタと少なくとも一つのロックを含むことができる。
【００３１】
このような構成の結果、構成された電気コネクタは、少なくとも二つの位置でロックと組み付けられることができると共に、一種類のロックと一種類の構成可能電気コネクタのみが製造さる。
【００３２】
本発明は、例として以下に有利な実施の形態を使用し且つ図面を参照してより詳細に記述される。記述される実施の形態は、可能な構成であるに過ぎず、そこでは、しかしながら、上記のように、個々の特徴は、互いから独立して実施されることができ、又は省略されることができる。図面に図示される同じ要素は、同じ参照記号が付与される。異なる図面に図示される同じ要素に関連する記述の一部は、省略されることができる。図面では：
【図面の簡単な説明】
【００３３】
【図１Ａ】本発明の実施の形態に従う構成可能電気コネクタの概略斜視図である。
【図１Ｂ】図１Ａの構成可能電気コネクタと係合されることができるＰＣＢロックの概略斜視図である。
【図１Ｃ】本発明の構成可能電気コネクタとＰＣＢロックの二つの可能な構成の概略斜視図である。
【図１Ｄ】本発明の構成可能電気コネクタとＰＣＢロックの二つの可能な構成の概略斜視図である。
【図２Ａ】本発明の実施の形態に従うＰＣＢロックの概略斜視図である。
【図２Ｂ】本発明の実施の形態に従うＰＣＢロックの概略斜視図である。
【図２Ｃ】本発明の実施の形態に従う構成可能電気コネクタの係合手段の概略斜視図である。
【図３Ａ】本発明の実施の形態に従う、ＰＣＢロックの構成可能電気コネクタへの係合前の、二つのＰＣＢロックと一つの構成可能電気コネクタの配置の概略斜視図である。
【図３Ｂ】本発明の実施の形態に従う構成可能電気コネクタの係合手段によって第１の位置に係合された一つのＰＣＢロックの概略斜視図である。
【図４Ａ】本発明の実施の形態に従う、ＰＣＢロックの構成可能電気コネクタへの係合前の、二つのＰＣＢロックと一つの構成可能電気コネクタの他の配置の概略斜視図である。
【図４Ｂ】本発明の実施の形態に従う構成可能電気コネクタの係合手段によって第２の位置へ係合された一つのＰＣＢロックの概略斜視図である。
【図５Ａ】本発明の実施の形態に従うＰＣＢロックの概略斜視図である。
【図５Ｂ】本発明の実施の形態に従うＰＣＢロックの概略斜視図である。
【図５Ｃ】本発明の実施の形態に従う構成可能電気コネクタの係合手段の概略斜視図である。
【図６Ａ】本発明の実施の形態に従う第１の位置へ係合された二つのＰＣＢロックを有する構成可能電気コネクタの概略斜視図である。
【図６Ｂ】本発明の実施の形態に従う第２の位置へ係合された二つのＰＣＢロックを有する構成可能電気コネクタの概略斜視図である。
【図７Ａ】従来の技術に従う直線電気コネクタの概略斜視図である。
【図７Ｂ】従来の技術に従う９０°湾曲された電気コネクタの概略斜視図である。
【発明を実施するための形態】
【００３４】
構成可能電気コネクタ１１００は、概略斜視図でこの構成可能電気コネクタを示す、図１Ａを参照して記述される。構成可能電気コネクタ１１００は、主に方向ＸとＹへ延出する本体１１０３を備える。本体１１０３は、構成可能電気コネクタと結合する電気プラグが係合されることができるキャビティ１１０４を備える。更に、本体１１０３へは、主に方向Ｘへ延出する二つの係合手段１１１０が接続される。係合手段１１１０の目的は、構成可能電気コネクタ１１００がＰＣＢに取り付けられることができるように、後述されるＰＣＢロックと係合することである。
【００３５】
図１Ｂは、構成可能電気コネクタ１１００と係合可能なＰＣＢロック１２００の概略斜視図である。ＰＣＢロック１２００は、取付けピン１２０３を含む本体１２０１を備える。本体１２０１には、孔１２０２が設けられる。孔１２０２は、少なくとも一つの方向への係合手段１１１０の通過を可能とするように成形される。
【００３６】
このように、ＰＣＢロック１２００は、孔１２０２内で係合手段１１１０をスライドさせることによって電気コネクタ１１００に係合されることができる。これは、ＰＣＢロック１２００が二つ以上の位置で構成可能電気コネクタ１１００と係合されることができる都合の良い利点である。理由は、ＰＣＢロック１２００が構成可能電気コネクタ１１００の本体１１０３と一体的に成形されていないためである。
【００３７】
例えば、図１Ｃに表されるもののような構成された電気コネクタ１３００が得られることができる。構成された電気コネクタ１３００において、二つのＰＣＢロック１２００は、Ｙ方向へ延出するように構成可能電気コネクタ１１００へ接続されると共に、構成可能電気コネクタ１１００は、またＹ方向へも延出している。このように、直線構成された電気コネクタ１３００が実現されることができる。
【００３８】
他方、図１Ｄに図示される構成された電気コネクタ１４００は、Ｙ方向へ延出するＰＣＢロック１２００をＺ方向へ延出する電気コネクタ１１００と係合することによって実現されることができる。このように、９０°湾曲されて構成された電気コネクタ１４００が得られることができる。
【００３９】
次に、ＰＣＢロック１２００は、図２Ａと図２Ｂを参照して詳細に記述される。
【００４０】
図２Ａに見られるように、ＰＣＢロック１２００は、取付けピン１２０３を含む本体１２０１を備える。取付けピン１２０３の目的は、ＰＣＢロック１２００をＰＣＢに係合するようにＰＣＢ内の所定の孔内でスライドすることである。取付けピン１２０３は、ロック手段２２０９を含む。ロック手段２２０９の目的は、ＰＣＢロック１２００が係合した後に、ＰＣＢから除去されることができないように、ＰＣＢロックをＰＣＢと強固に係合することである。この目的のために、ロック手段２２０９は、取付けピンに沿って取付けピンの端部から離れるように移動する方向へ取付けピン１２０３の断面を徐々に増加する。ロック手段２２０９は、ロック手段が実質的に急に終端するポイントまで取付けピン１２０３の断面を徐々に増加する。この構成は、取付けピン１２０３が挿入されるべきＰＣＢの孔をロック手段が一旦通過すると、取付けピン１２０３のＰＣＢからの係合解除が不可能になる又は取付けピン１２０３のＰＣＢとの係合に必要な力よりも大きな力を必要とすることを確実にする。
【００４１】
ＰＣＢロック１２００は、更に、少なくとも一つの停止手段２２０４と２２０５を含み、その目的は、ＰＣＢロック１２００のＰＣＢとの安定的係合を提供することである。より具体的には、取付けピン１２０３に沿う停止手段２２０４，２２０５の長さ、その上、取付けピン１２０３上のロック手段２２０９の位置は、ＰＣＢロック１２００のＰＣＢへの安定した係合を提供するようにＰＣＢの厚みに依存して、配置される。より具体的には、ロック手段２２０９の実質的に切り立った端部と停止手段２２０６との間の距離は、ＰＣＢの厚みに実質的に対応する。
【００４２】
更に、ＰＣＢロック１２００は、少なくとも二つの窪み２２０６，２２０７及び２２０８を含む。複数の窪みは、ＰＣＢロック１２００が構成可能電気コネクタ１１００と一旦係合すると、構成可能電気コネクタ１１００の本体１２０３に関してＰＣＢロック１２００の位置を決定するように設けられる。より具体的には、窪み２２０６，２２０７及び２２０８の内の少なくとも一つは、後述されるように、構成可能電気コネクタ１１００の本体１２０３に存在する少なくとも一つの回転ストップ２１１６と係合する。
【００４３】
複数の窪みがＰＣＢロック１２００に設けられるので、ＰＣＢロック１２００が構成可能電気コネクタ１１００に係合すると、構成可能電気コネクタ１１００の本体１１０３の延出方向に関して、ＰＣＢロック１２００の複数の延出方向を決定することができる。より具体的には、複数の窪み２２０６，２２０７及び２２０８の中から適切に選択することによって、少なくとも一つの回転ストップ２１１６が挿入され、構成可能電気コネクタ１１００の本体１１０３の延出方向に関してＰＣＢロック１２００の延出方向が決定されることができる。
【００４４】
更に、複数の窪み２２０６，２２０７及び２２０８をＰＣＢロック１２００の本体１２０１上の所定の位置に実現することによって、ＰＣＢロック１２００の延出方向と構成可能電気コネクタ１１００の本体１１０３との間の任意の角度が達成されることができる。
【００４５】
図２Ｃは、係合手段１１１０を含む、構成可能電気コネクタ１１００の本体１１０３の一部の概略斜視図である。図２Ｃに見られるように、少なくとも一つの回転ストップ２１１６は、本体１１０３上に配される。回転ストップ２１１６の寸法は、回転ストップがＰＣＢロック１２００上の窪み２２０６，２２０７及び２２０８の少なくとも一つと強固に係合されることができるようになっている。複数の窪みの内の回転ストップ２１１６と係合する一つを選択することによって、構成可能電気コネクタ１１００の本体１１０３の延出方向に関するＰＣＢロック１２００の延出方向が決定されることができる。
【００４６】
図２Ｃには、ただ一つの回転ストップ２１１６が表されているが、本発明は、これに限定されず、代わりに、複数の回転ストップ２１１６が実現されることができる。任意の数の回転ストップ２１１６と窪み２２０６，２２０７及び２２０８は、ＰＣＢロック１２００が係合される時に、複数の回転ストップと複数の窪みが係合手段１１１０を介して構成可能電気コネクタ１１００上の少なくとも二つの異なる位置で係合されることができることが保障される限り、実現されることができる。
【００４７】
例えば、複数の回転ストップ２１１６は、係合手段１１１０回りに９０°だけ等間隔で離間されるように実現されることができる。同様に、複数の窪み２２０６，２２０７及び２２０８は、孔１２０２回りに９０°だけ互いから離間されるように実現されることができる。回転ストップと窪みのそのような分布で、ＰＣＢロック１２００は、４つの異なる位置で構成可能電気コネクタ１１００と係合されることができ、各位置は、二つの隣接する位置から９０°離間している。同じ効果は、ただ一つの回転ストップ２１１６と互いから９０°だけ離間している複数の窪み２２０６，２２０７及び２２０８を使用することによって達成されることができる。従って、このような場合、一つの回転ストップ２１１６を使用するか複数の回転ストップ２１１６を使用するかの決定は、構成可能電気コネクタ１１００の延出方向に関してＰＣＢロック１２００の望ましい最終位置以外の要因に依存してなされることができる。例えば、そのような要因は、回転ストップ（複数又は単数）２１１６の複数の窪み２２０６，２２０７及び２２０８との係合の信頼性及び／又は強度である。
【００４８】
図２Ｃに見られるように、係合手段１１１０は、複数の空間２１１５によって互いから離間された複数の突起２１１１，２１１２，２１１３及び２１１４を備える。例えば、図２Ｃに見られるように、突起２１１１から２１１４は、実質的に円形位置に配され、それによって、係合手段１１１０の実質的に円形断面が得られる。
【００４９】
更に、複数の突起２１１１から１１４の内の少なくとも一つは、ＰＣＢロック１２００の係合を可能とし且つ係合手段１１１０からのＰＣＢロック１２００の係合解除を防止するように形成される。これは、少なくとも一つのロック手段２１１７の結果、達成される。より具体的には、係合手段１１１０の断面は、本体１１０３からロック手段２１１７までの所定距離Ｌに沿って構成可能電気コネクタ１１００の本体１１０３から実質的に一定である。この距離Ｌは、ＰＣＢロック１２００の孔１２０２の長さに実質的に対応するように選択される。距離Ｌの後、ロック手段２１１７は、係合手段１１０の断面の面積を急激に増加する。構成可能電気コネクタ１１００の本体１１０３から更に離れるように移動すると、係合手段１１１０の断面積は、徐々に減少する。本体１１０３から距離Ｌでの係合手段１１１０の断面積の急激な増加は、孔１２０２の断面積よりも実質的に大きい。しかしながら、そのようなより大きな面積断面は、複数の突起２１１１から２１１４の間に設けられる複数の空間２１１５の結果、孔１２０２内へ押し込まれることができる。このように、ＰＣＢロック１２００が係合手段１１１０の位置に実質的に対応する孔１２０２を有するように配され且つそれが本体１１０３に向かって押されると、複数の突起２１１１から２１１４は、孔１２０２内での係合手段１１１０のスライドを許容するように互いに向かって押し込まれる。係合手段１１１０の実質的に一定の円形断面の長さＬが孔１２０２の長さに実質的に同様であるので、係合手段１１１０の急激な拡大断面は、一旦ＰＣＢロック１２００が構成可能電気コネクタ１１００の本体１１０３と実質的に触れると、孔１２０２から最終的に出てくる。これが生じると、複数の突起２１１１から２１１４は、それらの通常の位置へ復帰し、それによって、少なくとも一つのロック手段２１１７の結果、ＰＣＢロック１２００を構成可能電気コネクタ１１００と強固に係合する。
【００５０】
このような係合手順は、図３Ａと図３Ｂに表されている。
【００５１】
図３Ａに見られるように、二つの係合手段１１１０を有する構成可能電気コネクタ１１００は、二つのＰＣＢロック１２００と並んで配される。より具体的には、ＰＣＢロック１２００の各々の孔１２０２は、構成可能電気コネクタ１１００の対応する係合手段１１１０の前に配置される。孔１２０２の軸は、係合手段１１１０の延出方向に実質的に平行である。ＰＣＢロック１２００を構成可能電気コネクタ１１００の本体１１０３に向かって押すことによって、ＰＣＢロック１２００の構成可能電気コネクタ１１００との安定した強固な係合が達成されることができる。
【００５２】
図３Ａにおいて、構成可能電気コネクタ１１００の本体１１０３は、主に方向ＸとＹに沿って延出する。同時に、二つのＰＣＢロック１２００は、主にＹ方向へ延出する。従って、ＰＣＢロック１２００が構成可能電気コネクタ１１００に向かって押しこまれると、二つの強固に取り付けられたＰＣＢロック１２００を含む、構成された電気コネクタ１３００が実現されることができる。このような場合、ＰＣＢロック１２００の延出方向は、構成された電気コネクタ１３００のプラグイン方向に実質的に対応し、それによって、図１Ｃの電気コネクタ１３００のような直線電気コネクタを実現する。
【００５３】
図３Ｂは、構成可能電気コネクタ１３００の一方の側でのＰＣＢロック１２００の係合の概略斜視図である。図３Ｂに見られるように、ＰＣＢロックの係合手段１１１０回りの移動は、回転ストップ２１１６がＰＣＢロック１２００の窪み２２０７と強固に係合するために、防止される。更に、ＰＣＢロック１２００の構成された電気コネクタ１３００からの係合解除は、突起２１１１から２１１４が孔１２０２よりも大きな係合手段１１１０の断面積を実現するようにロック手段２１１７を備えているので、防止される。従って、ＰＣＢロック１２００の構成された電気コネクタ１３００の本体から離れる方向への移動は、ＰＣＢロック１２００が一旦係合手段１１１０によって係合されると、ロック手段２１１７と関係のある係合手段１１１０のより大きな断面によって防止される。
【００５４】
図５Ａと図５Ｂは、本発明の他の実施の形態を表している。より具体的には、図５Ａと図５ＢのＰＣＢロック３２００は、窪み２２０６，２２０７及び２２０８の不在に起因して且つ孔１２０２に比較しての孔３２０２の異なる断面に起因して、図２Ａと図２ＢのＰＣＢロック１２００から異なっている。より具体的には、孔３２０２は、図５Ａと図５Ｂに表されるように、正方形断面のような非円形断面を有する。
【００５５】
ＰＣＢロック３２００に従うために、他の係合手段３１１０が実現され、且つ図５Ｃに表されている。係合手段３１１０は、それが孔３２０２の非円形断面と実質的に同様な非円形断面を有する点に関して係合手段１１１０とは異なっている。同時に、係合手段３１１０の係合メカニズムは、係合手段１１１０の係合メカニズムと実質的に同様である。より具体的には、係合手段３１１０は、空間３１１５によって離間された少なくとも二つの突起３１１１と３１１２を有する。これら二つの突起の内の少なくとも一方は、本体からロック手段に向かって長さＬの間一定であり、次に、構成可能電気コネクタに係合するとＰＣＢロック３２００の係合解除を防止するように実質的に急激に増加される断面を二つの突起が有するように、ロック手段３１１７を有する。断面積の実質的に急激な増加の後、ロック手段３１１７は、係合手段３１１０の断面積を徐々に減少するように構成され、それによって、ロック手段は、本体１１０３から最も遠い端部に、長さＬに沿ってエリア断面と実質的に同様なエリア断面を有する。
【００５６】
孔３２０２の非円形断面及び係合手段３１１０の実質的に同様な非円形断面は、ＰＣＢロック３２００が係合手段３１１０の回りに自由には回転できないという都合の良い利点を提供する。より具体的には、例えば、断面が実質的に正方形であるならば、ＰＣＢロック３２００が係合手段３１１０に係合されることができる４つの位置があるに過ぎない。同様に、断面が実質的に三角形であるならば、ＰＣＢロックが配置されることができる位置の数が３に減少される。より一般的に言えば、ｎ個の辺を有する断面を使用することによって、係合手段３１１０上のＰＣＢロック３２００の可能な配置の数は、ｎ個である。
【００５７】
従って、図５Ａから図５Ｃに描かれている実施の形態は、窪み２２０６，２２０７及び２２０８と回転ストップ２１１６が実現される必要はないという更なる利点を有する。
【００５８】
本発明の更なる実施の形態が図６Ａと図６Ｂに図示されている。図６Ａと図６Ｂは、ＰＣＢロック２００が追加的にＰＣＢコーディングピン６３０１を含む構成された電気３００の概略斜視図である。
【００５９】
図６Ａと図６Ｂに見られるように、ＰＣＢコーディングピン６３０１は、取付けピン１２０３と実質的に平行なように延出する。従って、構成可能電気コネクタ６３００をＰＣＢに取り付けるために、取付けピン１２０３の各々に対するＰＣＢの孔に加えて、コーディングピン６３０１の各々に対して少なくとも一つのコーディング孔が設けられるべきである。コーディング孔と取付け孔のＰＣＢへの特定の配置は、ＰＣＢロック６２００がＰＣＢ内に挿入され且つそれと係合される方向を指示している。従って、これは、構成可能電気コネクタ６３００がＰＣＢ上に取り付けられることができる方向を指示している。これは、構成可能電気コネクタ６３００がＰＣＢ上に間違ったように取り付けられることをコーディングピン６３０１が防止するので、有利である。
【００６０】
ロック１２００，３２００及び６２００が構成された電気コネクタをＰＣＢ上に係合するためのＰＣＢロックとして記述されたが、本発明は、これに限定されない。或いは、又はそれに加えて、ロック１２００，３２００及び６２００は、それらが係合手段の少なくとも二つの位置で係合されるようにそれらのロックが実現される限り、任意の表面を有する構成された電気コネクタを他の電気コネクタにロックするように構成されることができる。より一般的には、ロック１２００と３２００は、構成された電気コネクタをＰＣＢ、プラスチックや金属ボード、壁、又は他の電気コネクタのような任意の取付けターゲットへ取り付けるために使用されることができる。
【００６１】
ロック手段２１１７と３１１７は、ＰＣＢロック１２００，３２００，６２００の係合解除を防止するように、空間によって分離された複数の突起への組み合わせで記述されたが、本発明はこれに限定されない。或いは、又はそれに加えて、係合手段１１１０，３１１０のための他の構成が実現されることができる。例えば、係合手段１１１０は、孔１２００と実質的に同様な円形断面を有し且つ本体１１０３から最も遠い表面に孔を有するシリンダによって置き換えられてもよい。ＰＣＢロック１２００を係合すると、螺子は、ＰＣＢロック１２００の係合解除を防止するようにシリンダ表面の孔に螺合されることができる。より一般的に言えば、係合手段１１１０，３１１０及びＰＣＢロック１２００と３２００の任意の組み合わせは、それが夫々ＰＣＢロック１２００の及び構成可能電気コネクタ１１００と３１００の係合を許容し且つそれらの係合解除を防止する限り、実現されることができる。
【００６２】
同様に、ロック手段２２０９，３２０９及び停止手段２２０４，２２０５，３２０４及び３２０５は、ＰＣＢのＰＣＢロック１２００，３２００及び６２００を係合するために、記述されたが、本発明は、これに限定されない。或いは、又はそれに加えて、ＰＣＢ上のＰＣＢロック１２００と３２００の係合を許容し且つそれらの係合解除を防止し、又は構成された電気コネクタへ接続されなければならないで要素とのそれらの係合を許容し且つそれらの係合解除を防止する任意の構成が、代わりに使用されてもよい。
【図１Ａ】
2014512645.tif 000003
【図１Ｂ】
2014512645.tif 000004
【図１Ｃ】
2014512645.tif 000005
【図１Ｄ】
2014512645.tif 000006
【図２Ａ】
2014512645.tif 000007
【図２Ｂ】
2014512645.tif 000008
【図２Ｃ】
2014512645.tif 000009
【図３Ａ】
2014512645.tif 000010
【図３Ｂ】
2014512645.tif 000011
【図４Ａ】
2014512645.tif 000012
【図４Ｂ】
2014512645.tif 000013
【図５Ａ】
2014512645.tif 000014
【図５Ｂ】
2014512645.tif 000015
【図５Ｃ】
2014512645.tif 000016
【図６Ａ】
2014512645.tif 000017
【図６Ｂ】
2014512645.tif 000018
【図７Ａ】
2014512645.tif 000019
【図７Ｂ】
2014512645.tif 000020
【国際調査報告】
2014512645.tif 000021
2014512645.tif 000022